(57)【要約】【課題】紙幣搬送路上に配置されたセンサ等で検知された異常な紙幣を確実に紙幣プール部へ戻すことができる紙幣入出金機を提供する。【解決手段】紙幣入出金口３から投入された紙幣を蓄積する紙幣プール部２２と、該紙幣プール部２２に投入された紙幣の下面を支持するフロアガイド部３２と、該フロアガイド部３２に設けられ、紙幣の下面に当接する繰出しローラ２７と、該繰出しローラ２７を回転させ1枚ずつ分離して繰出した紙幣を搬送する紙幣搬送路と、搬送された紙幣の異常を検知する異常検知手段とを備えた紙幣入出金機１において、回動可能とした押し上げレバー３４と、該押し上げレバー３４を回動させる駆動手段とを備え、前記異常検知手段で紙幣の異常を検知したとき、前記駆動手段で前記押し上げレバー３４を上昇させ、前記紙幣プール部２２に投入された紙幣の下面を押し上げて前記フロアガイド部３２との間に空間を形成するようにした。【選択図】        図３
2007052656.tif 000002
【特許請求の範囲】
【請求項１】
紙幣入出金口から投入された紙幣を蓄積する紙幣プール部と、該紙幣プール部に投入された紙幣の下面を支持するフロアガイド部と、該フロアガイド部に設けられ、紙幣の下面に当接する繰出しローラと、該繰出しローラを回転させ1枚ずつ分離して繰出した紙幣を搬送する紙幣搬送路と、搬送された紙幣の異常を検知する異常検知手段とを備えた紙幣入出金機において、
回動可能とした押し上げレバーと、
該押し上げレバーを回動させる駆動手段とを備え、
前記異常検知手段で紙幣の異常を検知したとき、前記駆動手段で前記押し上げレバーを上昇させ、前記紙幣プール部に投入された紙幣の下面を押し上げて前記フロアガイド部との間に空間を形成するようにしたことを特徴とする紙幣入出金機。
【請求項２】
紙幣入出金口から投入された紙幣を蓄積する回動可能な紙幣プール部と、該紙幣プール部を入金紙幣分離位置に回動させたとき投入された紙幣の下面を支持するフロアガイド部と、該フロアガイド部に設けられた孔から突出して投入された紙幣の下面に当接する繰出しローラと、該繰出しローラを回転させ1枚ずつ分離して繰出した紙幣を搬送する紙幣搬送路と、搬送された紙幣の異常を検知する該紙幣搬送路上に設けた異常検知手段とを備えた紙幣入出金機において、
前記繰出しローラの上部外周に沿って突出した形状の部位を有し、前記フロアガイド部で支持される支点を該繰出しローラの近傍に設け、その支点で回動可能とした押し上げレバーと、
該押し上げレバーを回動させる駆動手段とを備え、
前記異常検知手段で紙幣の異常を検知したとき、前記駆動手段で前記押し上げレバーを上昇させ、該押し上げレバーの突出した部位で前記紙幣プール部に投入された紙幣の下面を押し上げて前記フロアガイド部との間に空間を形成するようにしたことを特徴とする紙幣入出金機。
【請求項３】
請求項２の紙幣入出金機において、
前記駆動手段は、ソレノイドやモータ等の動力発生手段の駆動軸と前記押し上げレバーとを連結したことを特徴とする紙幣入出金機。
【請求項４】
請求項２の紙幣入出金機において、
前記駆動手段は、モータ等の動力発生手段で回転する前記繰出しローラの回転軸に突起部を取り付け、押し上げレバーと当接するようにし、異常が検知された紙幣を前記紙幣プール部に戻す方向に該繰出しローラを回転させると該突起部で押し上げレバーを押し上げるようにしたことを特徴とする紙幣入出金機。
【請求項５】
請求項２、請求項３または請求項４の紙幣入出金機において、
前記押し上げレバーを、投入される紙幣の長手方向における前記紙幣プール部の少なくとも両端部に配置したことを特徴とする紙幣入出金機。
【発明の詳細な説明】
【技術分野】
【０００１】
本発明は、自動取引装置等に搭載される紙幣入出金機に関し、特に、紙幣を投入する紙幣投入部とその紙幣投入部から装置内へ紙幣を１枚ずつ取り込む紙幣分離部および紙幣搬送路等を有する紙幣入出金機に関する。
【背景技術】
【０００２】
従来の紙幣入出金機を図面にしたがって説明する。
図１１は従来の紙幣入出金機における紙幣投入または受取り時の紙幣投入部の左側断面の説明図である。
図１１において、１６１は紙幣プール壁であり、紙幣入出金部に紙幣１６５を蓄積する空間を形成し、側断面が略Ｌ字形の部材である。
【０００３】
１６２は紙幣プール部であり、紙幣プール壁１６１で形成された入金または出金する複数の紙幣１６５を一時的に蓄積しておく空間である。この紙幣プール部１６２は紙幣１６５の長手方向が水平方向に、短手方向が鉛直方向になるように形成され、顧客が紙幣１６５の投入および受取りをすることが可能になっている。
１６３は紙幣入出金口シャッタであり、紙幣プール部１６２の上部に前後にスライドするように配置されている。
【０００４】
１６４はビルプレスであり、側断面が略直線状に形成され一端が屈折したものである。このビルプレス１６４は紙幣プール部１６２の一側面を形成している。また、このビルプレス１６４は投入された紙幣１６５を押圧することができようになっている。
図１２は従来の紙幣入出金機における入金紙幣分離時の紙幣投入部の左側断面の説明図である。
【０００５】
図１２において、１６６は繰出しローラであり、紙幣プール部１６２に投入され、ビルプレス１６４で押圧された紙幣１６５を１枚ずつ分離して繰出すものである。
１６７は紙幣プール支点であり、紙幣プール部１６２を紙幣入出金機の奥部方向に９０度回転させることができる支点である。紙幣プール部１６２を９０度回転させ紙幣１６５を繰出しローラ１６６に当接させ、その繰出しローラ１６６を回転させ紙幣１６５を１枚ずつ分離して紙幣を搬送する紙幣搬送路へ繰出し、入金動作を行う。
【０００６】
図１３は従来の紙幣入出金機における出金紙幣集積時の紙幣投入部の左側断面の説明図である。
図１３において、１６８は紙幣集積ローラである。この紙幣集積ローラを回転させ搬送路１６９から搬送された出金紙幣１６５を紙幣プール部１６２へ集積するために搬送する。この出金紙幣１６５を紙幣プール部１６２へ集積するときビルプレス１６４は紙幣１６５が衝突しないように紙幣入出金部の上部に退避させておく。紙幣１６５の集積が完了すると紙幣プール部１６２を紙幣入出金機の前方に９０度回転させ、さらに紙幣入出金口シャッタ１６３を開放して顧客が紙幣１６５を受取ることができるようにする。
【０００７】
従来の紙幣入出金機は、このように構成された紙幣投入部を備え、紙幣プール部１６２に投入された紙幣１６５を繰出しローラ１６６で１枚ずつ分離して繰出し入金動作を行うようにしていた。
しかし、紙幣プール部１６２に投入された紙幣１６５が複数枚であると１枚ずつ分離して繰出すことができず複数枚の紙幣が紙幣搬送路の入口に噛み込み、紙幣を紙幣搬送路へ繰出すことができない現象が発生することもある。また、紙幣プール部１６２に投入された紙幣１６５に折れた紙幣や破れた紙幣、不揃いに束ねられた紙幣等の異常な紙幣が混入していた場合、そのような紙幣は紙幣搬送路で走行異常を発生させることになり、正常に紙幣を搬送させることができなかった。
【０００８】
そこで、紙幣搬送路に備えたセンサ等により前述した紙幣搬送路の入口に噛み込んだ紙幣や異常な紙幣を検知するとその紙幣を繰出しローラ１６６を一旦停止し、その後、紙幣を搬送路に繰出す方向と逆の方向に回転させ、その紙幣を紙幣プール部１６２へ戻す動作を行うようにしている。戻された紙幣は再度、繰出しローラ１６６により分離され紙幣搬送路へ繰出される。その結果、再度、紙幣搬送路に備えたセンサにより異常が検知された紙幣は紙幣プール部１６２へ戻す動作を行い、顧客に紙幣の再投入を促す案内を表示部に表示するなどを行っている。
【０００９】
このように、紙幣を１枚ずつ分離して繰出すとき紙幣の搬送の異常を検知した場合、その紙幣を元の位置に戻しているものがある（例えば、特許文献１参照）。
【特許文献１】特開平１１−１１６０８１号公報（段落「０００８」〜段落「００１３」、図３）
【発明の開示】
【発明が解決しようとする課題】
【００１０】
しかしながら、上述した従来の技術においては、紙幣搬送路に備えたセンサ等により検知した紙幣搬送路の入口に噛み込んだ紙幣や異常な紙幣は紙幣搬送路の入口を通過しているものもあり、その紙幣搬送路の入口を通過した紙幣を紙幣プール部１６２へ戻す動作を行うと図１４に示すように紙幣プール部１６２の紙幣に衝突してしまい紙幣の走行異常や紙幣プール部１６２の回転ができない等の異常が発生してしまうという問題がある。
【００１１】
また、上述した走行異常が発生した紙幣を顧客に返却する場合、図１５に示すようにくしゃくしゃになった紙幣を顧客に返却してしまうという問題がある。
本発明は、このような問題を解決することを課題とする。
【課題を解決するための手段】
【００１２】
そのため、本発明は、紙幣入出金口から投入された紙幣を蓄積する紙幣プール部と、該紙幣プール部に投入された紙幣の下面を支持するフロアガイド部と、該フロアガイド部に設けられ、紙幣の下面に当接する繰出しローラと、該繰出しローラを回転させ1枚ずつ分離して繰出した紙幣を搬送する紙幣搬送路と、搬送された紙幣の異常を検知する異常検知手段とを備えた紙幣入出金機において、回動可能とした押し上げレバーと、該押し上げレバーを回動させる駆動手段とを備え、前記異常検知手段で紙幣の異常を検知したとき、前記駆動手段で前記押し上げレバーを上昇させ、前記紙幣プール部に投入された紙幣の下面を押し上げて前記フロアガイド部との間に空間を形成するようにしたことを特徴とする。
【発明の効果】
【００１３】
このようにした本発明は、異常が検知された紙幣を紙幣プール部へ戻すとき、押し上げレバーにより紙幣プール部に投入された紙幣を押し上げてその紙幣プール部に空間を確保することが可能になり、紙幣プール部に投入された紙幣に衝突することなく異常が検知された紙幣を紙幣プール部へ戻すことができるという効果が得られる。
【発明を実施するための最良の形態】
【００１４】
以下、図面を参照して本発明による紙幣入出金機の実施例を説明する。
【実施例】
【００１５】
まず、第１の実施例を説明する。
図１は第１の実施例を示す紙幣入出金機の外観斜視図である。
図１において、１は紙幣入出金機であり、その前面に顧客操作表示盤２、紙幣入出金口３、カード挿入排出口４および明細票排出口５を備えている。
７は紙幣入出金機１の筐体である。
【００１６】
図２は第１の実施例における紙幣投入部の左側断面の説明図である。図２（ａ）は紙幣投入部に紙幣を投入する場合、または、紙幣投入部の紙幣を受け取る場合の説明図、図２（ｂ）は紙幣投入部に投入された紙幣を繰出して入金する場合の説明図である。なお、図２の図中右側が紙幣入出金機１の前面側（以下、単に「前面側」という。）であり、図中左側が紙幣入出金機１の後面側（以下、単に「後面側」という。）である。
【００１７】
図２（ａ）において、２１は紙幣プール壁であり、側断面が略Ｌ字状に形成されたものである。この紙幣プール壁２１は紙幣を蓄積する空間である紙幣プール部２２の側面および底部を形成し、その紙幣プール部２２の側面は後面側の側面および左右の側面の三方向である。紙幣プール部２２の底部は投入された紙幣２４に混入された異物等を紙幣プール部２２から落下させることができるように、例えば、棒状の部材をはしご状に配置して形成されている。
【００１８】
なお、紙幣プール部２２と筐体７の間には図示しない紙幣入出金口シャッタおよび駆動手段が設けられており、開閉可能に形成されている。
また、紙幣プール部２２は投入される紙幣の長手方向が水平方向に、短手方向が鉛直方向になるように形成される。
２３は異物回収箱であり、紙幣プール部２２の下方に設けられ、紙幣プール部２２に投入された紙幣２４に混入された異物等を紙幣プール壁２１の底部から落下させ、それを貯留しておくものである。
【００１９】
２５はビルプレスであり、紙幣プール部２２の前面側の一側面を形成するものである。また、このビルプレス２５は紙幣プール部２２に投入された紙幣２４を後述する繰出しローラに当接させるものでもある。
上述した紙幣プール壁２１およびビルプレス２５により紙幣プール部２２の底部および側面を形成し、また、図中上部が開口した紙幣プール部２２を形成する。
【００２０】
２６は支点であり、紙幣プール壁２１の左右両側面に設けられたものである。この２６を支点として、紙幣プール部２２を形成する紙幣プール壁２１等を図示しない駆動手段により回動させる。
紙幣を紙幣プール部２２へ投入する場合、および紙幣プール部２２の紙幣を受け取る場合、紙幣プール部２２の開口部が紙幣入出金口３と対向する位置（この位置を「紙幣投入受取り位置」という。）に回動させ、紙幣プール部２２へ投入された紙幣を繰出して入金する場合、および出金する紙幣を紙幣プール部２２に集積する場合、紙幣プール部２２の開口部が図中反時計回りに略９０度回転した位置（この位置を「入金紙幣分離位置」または「出金紙幣集積位置」という。）に回動させる。
【００２１】
図２（ｂ）において、２７は繰出しローラであり、外周の一部が他の部分より摩擦係数の大きいゴム等の部材で形成されたものである。この繰出しローラ２７を図示しないモータ等の動力発生手段により図中時計回りに回転させてビルプレス２５により当接された紙幣２４を１枚ずつ分離して繰出すことができる。なお、紙幣プール壁２１の側面には図示しない孔が設けられており、紙幣プール壁２１を回動させることにより紙幣プール部２２に投入された紙幣２４は前記孔より突出した繰出しローラ２７に当接させることができる。
【００２２】
また、この繰出しローラ２７は紙幣２４の下面の先端部に当接するように配置されている。
２８はフィードローラであり、繰出しローラ２７により繰出される紙幣２４の繰出し方向近傍に配置され図示しない駆動手段により回転可能なものである。
２９はゲートローラであり、フィードローラ２８の周面と接触させて配置され、紙幣取込みゲートを形成するものである。フィードローラ２８を図中反時計回りに回転させ、繰出しローラ２７により分離され繰出された紙幣２４をフィードローラ２８とゲートローラ２９で形成された紙幣取り込みゲートから入金紙幣搬送路３０へ搬送する。
【００２３】
３２はフロアガイド部であり、紙幣プール部２２を入金紙幣分離位置へ回動させたとき、紙幣プール部２２の底面を形成し、紙幣プール部２２に投入された紙幣２４の下面を支持するものである。このフロアガイド部３２にも図示しない孔が設けられており、その孔より突出した繰出しローラ２７に紙幣プール部２２に投入された紙幣２４を当接させることができる。
【００２４】
３３はフィードローラガイドであり、フィードローラ２８とゲートローラ２９で形成された紙幣取り込みゲートから入金紙幣搬送路３０へ紙幣を導くものである。
３４は押し上げレバーであり、繰出しローラ２７の近傍に配置され、紙幣プール部２２の方向に突出し、繰出しローラ２７の略外周に沿って円弧状または緩やかなテーパ等に形成されたものである。この押し上げレバー３４は支点を有し、その支点で回動することにより、その突出した部位で紙幣プール部２２へ投入された紙幣を押し上げることができるものである。
【００２５】
なお、押し上げレバー３４の形状は上記円弧状等に限られるものでなく、山形状等であってもよい。
４６は出金紙幣搬送路であり、ベルト等で構成され、出金する紙幣を搬送するものである。この出金搬送路４６により搬送された紙幣は出金紙幣集積位置に回動された紙幣プール部２２に集積される。
【００２６】
上述した紙幣プール壁２１、紙幣プール部２２、異物回収箱２３、ビルプレス２５、繰出しローラ２７、フィードローラ２８、ゲートローラ２９、フロアガイド部３２および押し上げレバー３４等で紙幣投入部を構成する。
図３は第１の実施例における押し上げレバーの構成を示す左側断面の説明図である。
図３において、３５は支点であり、押し上げレバー３４に設けられた支点である。この支点３５で押し上げレバー３４はフロアガイド部３２に回動可能に支持されている。
【００２７】
３７はリンクであり、一端部に動力発生装置であるアクチュエータ３８が連結され、他端部には押し上げレバー３４の一端部に連結部３６を介して回動可能に連結されているものである。このリンク３７はアクチュエータ３８の動力を押し上げレバー３４へ伝達するものである。
このアクチュエータ３８を駆動させるとリンク３７はアクチュエータ３８の方向へ引かれ、押し上げレバー３４は３５を支点として図中時計回りに回動され、その突出した部位は上昇する。一方、アクチュエータ３８を開放すると押し上げレバー３４は３５を支点として図中反時計回りに回動され、その突出した部位は下降する。
【００２８】
なお、このリンク３７はアクチュエータ３８の駆動を押し上げレバー３４に伝達することができれば、その形状、材質等はどのようなものであってもよい。また、アクチュエータ３８は、例えば、ソレノイドやモータ等で構成されるものである。
また、押し上げレバー３４の円弧状に突出した部位は紙幣プール部２２に投入された紙幣２４を分離して繰出すとき、その動作の負荷にならないようにフロアガイド部３２の上面より下方に、または、繰出しローラ２７の上部外周より下方に位置（以下、「退避位置」という。）するようにしている。
【００２９】
図４は第１の実施例における押し上げレバーの配置を示す説明図である。
図４において、例えば、押し上げレバー３４は紙幣プール部２２に投入された紙幣の長手方向の略両端部に位置するように繰出しローラ２７の近傍に２つ配置するようにしている。なお、押し上げレバー３４の数は２つに限られることなく、適宜、増減させるようにしてもよい。
【００３０】
なお、図４においてフロアガイド部３２は断面を示し、その一部は図示していない。
上述した構成の作用について説明する。
紙幣投入受取り位置にある紙幣プール部２２に紙幣が投入されると図示しない駆動手段により紙幣プール壁２１を入金紙幣分離位置に回動させ、ビルプレス２５により押圧された紙幣２４を繰出しローラ２７に当接させる。
【００３１】
このとき押し上げレバー３４は退避位置に位置させておく。
図３において、投入された紙幣２４を繰出しローラ２７に当接させると、繰出しローラ２７、フィードローラ２８等を図中反時計回りに回転させ、紙幣２４を１枚ずつ分離して繰出し、紙幣の入金動作を開始する。
紙幣２４を１枚ずつ分離して繰出すと紙幣２４は紙幣取り込みゲートから入金紙幣搬送路３０へ搬送される。この入金紙幣搬送路３０に設けられた図示しないセンサ等により異常な紙幣が検知された場合、繰出しローラ２７およびフィードローラ２８等の駆動を停止し、紙幣２４の分離および繰出しの動作を停止する。
【００３２】
紙幣２４の分離および繰出しの動作を停止するとアクチュエータ３８を駆動する。アクチュエータ３８を駆動すると図５に示すように押し上げレバー３４の突出した部位は３５を支点として上昇し、紙幣プール部２２に投入された紙幣３４を押し上げる。
押し上げレバー３４は紙幣３４の重心位置Ｇより繰出しローラ２７側が押し上げられることにより、押し上げられた紙幣２４とフィードローラガイド３３およびフロアガイド部３２との間に空間Ｌを確保することが可能になる。
【００３３】
なお、この空間Ｌの大きさは支点３５と連結部３６との間の距離等を変えることで任意に設定することが可能である。
押し上げレバー３４で紙幣２４を押し上げると図６において繰出しローラ２７およびフィードローラ２８を図中時計回りに回転させ異常が検知された紙幣を紙幣プール部２２へ戻す動作を行う。そうすると異常が検知された紙幣は押し上げレバー３４と投入された紙幣２４の間を搬送され紙幣プール部２２へ戻される。
【００３４】
異常が検知された紙幣が紙幣プール部２２へ戻されるとアクチュエータ３８を開放して押し上げレバー３４を退避位置に位置させる。その後、再度、繰出しローラ２７、フィードローラ２８等を図中反時計回りに回転させ、紙幣２４を１枚ずつ分離して繰出し、紙幣の入金動作を開始する。
以上説明したように、第１の実施例では、異常が検知された紙幣を紙幣プール部へ戻すとき、押し上げレバーにより紙幣プール部に投入された紙幣を押し上げてその紙幣プール部に空間を確保することが可能になり、紙幣プール部に投入された紙幣に衝突することなく異常が検知された紙幣を紙幣プール部へ戻すことができるという効果が得られる。
次に、第２の実施例を説明する。
【００３５】
第２の実施例は、第１の実施例の構成と押し上げレバーを回動させる構成が異なるものである。なお、上述した第１の実施例と同様の部分は、同一の符号を付してその説明を省略する。
図７は第２の実施例における押し上げレバーの構成を示す左側断面の説明図、図８は第２の実施例における押し上げレバーの構成を示す斜視図である。また、図９は第２の実施例における押し上げレバーの動作を示す左側断面の説明図、図１０は第２の実施例における押し上げレバーの動作を示す斜視図である。
【００３６】
図７および図８において、押し上げレバー３４はその端部に設けた支点３５で回動可能にフロアガイド部３２に支持されている。
４０はワンウェイクラッチ付きトルクリミッタであり、動力伝達手段である。このワンウェイクラッチ付きトルクリミッタ４０は一方向に回転動力を伝達し、他の方向には回転動力を伝達しないワンウェイクラッチ機構を有し、さらに、回転動力を伝達する方向で一定のトルクを超えると空転状態になるトルクリミッタを合わせ持つものである。
【００３７】
また、ワンウェイクラッチ付きトルクリミッタ４０の回転軸は繰出しローラ２７の回転軸に固着され、繰出しローラ２７の回転軸が回転するとワンウェイクラッチ付きトルクリミッタ４０の回転軸も回転する。
なお、ワンウェイクラッチ付きトルクリミッタ４０の回転軸は図中時計回りに回転するとその回転動力を伝達することができ、図中反時計回りに回転するとその回転動力は伝達されることなく空転する。
【００３８】
４１は突起部Ａであり、ワンウェイクラッチ付きトルクリミッタ４０の円周上に固着されたものである。図９および図１０に示すように繰出しローラ２７が図中時計方向に回転するとワンウェイクラッチ付きトルクリミッタ４０も図中時計方向に回転し、この突起部Ａ４１は押し上げレバー３４の支点３５を有する端部の反対方向に位置する端部と当接し、押し上げレバー３４を回動させ、押し上げることができる。したがって、紙幣プール部２２に投入された紙幣２４を押し上げることができる。
【００３９】
また、繰出しローラ２７が図中反時計方向に回転するとその動力はワンウェイクラッチ付きトルクリミッタ４０に伝達されず、押し上げレバー３４の自重および図示しないスプリング等の弾性材により、フロアガイド部３２の下方に設けた係止部５０に突起部Ａ４１が当接する。この係止部５０は押し上げレバー３４の円弧状に突出した部位が前述した退避位置に位置するように配置されているものである。
【００４０】
４２は突起部Ｂであり、ワンウェイクラッチ付きトルクリミッタ４０の円周上に固着されたものである。図９に示すように繰出しローラ２７が図中時計方向に回転するとワンウェイクラッチ付きトルクリミッタ４０も図中時計方向に回転し、押し上げレバー３４を回動させて押し上げるが、その一方、突起部Ｂ４２はフロアガイド部３２の下方に設けた係止部５１に突起部Ｂ４２が当接し、押し上げレバー３４の回動を停止させる。これにより、押し上げレバー３４を所定の高さで停止させることができる。
【００４１】
なお、突起部Ｂ４２が係止部５１に当接するとワンウェイクラッチ付きトルクリミッタ４０は空転する。
また、本実施例では、突起部Ｂ４２と突起部Ａ４１はワンウェイクラッチ付きトルクリミッタ４０の回転軸を中心に１８０度の位置に配置するようにしたが、押し上げレバー３４を所定の高さで停止させることができれば１８０度の位置に限定されるものではない。
【００４２】
上述した構成の作用について説明する。
紙幣投入受取り位置にある紙幣プール部２２に紙幣が投入されると図示しない駆動手段により紙幣プール壁２１を入金紙幣分離位置に回動させ、ビルプレス２５により押圧された紙幣２４を繰出しローラ２７に当接させる。
このとき押し上げレバー３４は退避位置に位置させておく。
【００４３】
投入された紙幣２４を繰出しローラ２７に当接させると、図８において、繰出しローラ２７、フィードローラ２８等を図中反時計回り（矢印Ａの方向）に回転させ、紙幣２４を１枚ずつ分離して繰出し、紙幣の入金動作を開始する。
紙幣２４を１枚ずつ分離して繰出すと紙幣２４は紙幣取り込みゲートから入金紙幣搬送路３０へ搬送される。この入金紙幣搬送路３０に設けられた図示しないセンサ等により異常な紙幣が検知された場合、繰出しローラ２７およびフィードローラ２８等の駆動を停止し、紙幣２４の分離および繰出しの動作を停止する。
【００４４】
紙幣２４の分離および繰出しの動作を停止すると、図１０において、繰出しローラ２７およびフィードローラ２８を図中時計回り（矢印Ｂの方向）に回転させる。繰出しローラ２７を中時計回りに回転させると図９に示すようにワンウェイクラッチ付きトルクリミッタ４０も図中時計方向に回転し、突起部Ａ４１は押し上げレバー３４の支点３５を有する端部の反対方向に位置する端部と当接し、押し上げレバー３４を回動させ、押し上げレバー３４の突出した部位は３５を支点として上昇し、紙幣プール部２２に投入された紙幣３４を押し上げる。
【００４５】
押し上げレバー３４は紙幣３４の重心位置Ｇより繰出しローラ２７側が押し上げられることにより、押し上げられた紙幣２４とフィードローラガイド３３およびフロアガイド部３２との間に空間Ｌを確保することが可能になる。このとき、突起部Ｂ４２は係止部５１に当接し、押し上げレバー３４は所定の高さでその回動を停止する。
なお、この空間Ｌの大きさは突起部Ｂ４２と係止部５１との間の距離等を変えることで任意に設定することが可能である。
【００４６】
押し上げレバー３４で紙幣２４を押し上げるとともに繰出しローラ２７およびフィードローラ２８を図中時計回り（矢印Ｂの方向）に回転させることを継続することにより、異常が検知された紙幣は押し上げレバー３４と投入された紙幣２４の間を搬送され紙幣プール部２２へ戻される。このとき、ワンウェイクラッチ付きトルクリミッタ４０は空転する。
【００４７】
異常が検知された紙幣が紙幣プール部２２へ戻されると、再度、繰出しローラ２７、フィードローラ２８等を図中反時計回り（矢印Ａの方向）に回転させ、紙幣２４を１枚ずつ分離して繰出し、紙幣の入金動作を開始する。このとき、押し上げレバー３４は退避位置に位置するようになる。
以上説明したように、第２の実施例では、第１の実施例の効果に加え、アクチュエータやリンク部材等を削減することが可能になり、装置の小型化および軽量化が可能になるという効果が得られる。
【図面の簡単な説明】
【００４８】
【図１】第１の実施例における紙幣入出金機の外観斜視図
【図２】第１の実施例における紙幣投入部の左側断面の説明図
【図３】第１の実施例における押し上げレバーの構成を示す左側断面の説明図
【図４】第１の実施例における押し上げレバーの配置を示す説明図
【図５】第１の実施例における押し上げレバーの動作を示す左側断面の説明図
【図６】第１の実施例における押し上げレバーの動作を示す左側断面の説明図
【図７】第２の実施例における押し上げレバーの構成を示す左側断面の説明図
【図８】第２の実施例における押し上げレバーの構成を示す斜視図
【図９】第２の実施例における押し上げレバーの動作を示す左側断面の説明図
【図１０】第２の実施例における押し上げレバーの動作を示す斜視図
【図１１】従来の実施例における紙幣投入または受取り時の紙幣投入部の左側断面の説明図
【図１２】従来の実施例における入金紙幣分離時の紙幣投入部の左側断面の説明図
【図１３】従来の実施例における出金紙幣集積時の紙幣投入部の左側断面の説明図
【図１４】従来の実施例における入金紙幣戻し時の紙幣投入部の左側断面の説明図
【図１５】従来の実施例における入金紙幣戻し後の紙幣受取り時の紙幣投入部の左側断面の説明図
【符号の説明】
【００４９】
１    紙幣入出金機
２    顧客操作表示盤
３    紙幣入出金口
４    カード挿入排出口
５    明細票排出口
７    筐体
２１  紙幣プール壁
２２  紙幣プール部
２３  異物回収箱
２４  紙幣
２５  ビルプレス
２７  繰出しローラ
２８  フィードローラ
２９  ゲートローラ
３０  入金紙幣搬送路
３２  フロアガイド部
３４  押し上げレバー
３５  支点
３６  連結部
３７  リンク
３８  アクチュエータ
３９  スプリング
４０  ワンウェイクラッチ付きトルクリミッタ
４１  突起部Ａ
４２  突起部Ｂ
４６  出金紙幣搬送路
５０、５１  係止部
【図１】
2007052656.tif 000003
【図２】
2007052656.tif 000004
【図３】
2007052656.tif 000005
【図４】
2007052656.tif 000006
【図５】
2007052656.tif 000007
【図６】
2007052656.tif 000008
【図７】
2007052656.tif 000009
【図８】
2007052656.tif 000010
【図９】
2007052656.tif 000011
【図１０】
2007052656.tif 000012
【図１１】
2007052656.tif 000013
【図１２】
2007052656.tif 000014
【図１３】
2007052656.tif 000015
【図１４】
2007052656.tif 000016
【図１５】
2007052656.tif 000017